(57)【要約】【課題】飛翔昆虫を誘引するガスを用いて飛翔昆虫を誘引し、室外へと排出することのできる換気装置を提供する。【解決手段】筐体２の前面において４つの辺によって区画され室内空気を排出する吸込口３と、吸込んだ空気を排出する排気口４と、吸込口３と排気口４とを連通する風路５と、吸込口３よりも面積を大きくして形成し、該吸込口３との間に隙間１１をとって配置した吸込口カバー８と、蚊を誘引するガス状物質を発生させるガス状物質発生部９とを備え、ガス状物質発生部９を、吸込口３の外側において前記４つの辺のうち一辺と吸込口カバー８が形成する隙間１１を覆うように設けたことにより、発生させたガス状物質をすぐに室外へ排出することなく、積極的に室内方向へ拡散させることができ、蚊を換気装置１付近まで誘引し、室内の飛翔昆虫を効率的に換気装置１から排出することができる。【選択図】図１
2019129815.tif 000002
【特許請求の範囲】
【請求項１】
筐体の前面において４つの辺によって区画され室内空気を排出する吸込口と、
吸込んだ空気を排出する排気口と、
前記吸込口と前記排気口とを連通する風路と、
前記風路内に設けて室内側から室外側へ向かう気流を発生させるモーターおよびファンと、
前記吸込口の開口面積よりも面積を大きくして形成したパネルであって、該吸込口との間に隙間をとって配置した吸込口カバーと、
蚊を誘引するガス状物質を発生させるガス状物質発生部とを備え、
前記ガス状物質発生部が、前記吸込口の一辺の外側において前記隙間を覆うように設けられ、ガス状物質を室内側へ放出することを特徴とする換気装置。
【請求項２】
ガス状物質発生部で発生させるガス状物質が、少なくとも二酸化炭素を含むことを特徴とする請求項１の換気装置。
【請求項３】
ガス状物質発生部を、吸込口の下辺に設けたことを特徴とする、請求項２の換気装置。
【請求項４】
換気装置運転時にファンの回転と停止を交互に行い、ファン停止時にガス状物質発生部からガス状物質を放出し、ファン回転時には前記ガス状物質を放出しないことを特徴とする、請求項１ないし３の一つに記載の換気装置。
【請求項５】
ガス状物質発生部と接しない吸込口カバーの外周部分の一部または全部に、熱源を備えたことを特徴とする、請求項１ないし４の一つに記載の換気装置。
【請求項６】
室内側に設けられる吸込口と、室外側に設けられる吐出口と、
前記吸込口と前記吐出口とを連通する風路と、
前記風路内に設けて室内側から室外側へ向かう気流を発生させるファンおよびモーターとを備えた筐体と、
前記筐体の前記吸込口を覆うパネルとを備え、
前記パネルの開口部には羽板を上流側から下流側へ向かって斜め下方向に傾斜をつけて配置し、
前記筐体の下部に蚊を誘引する気体を室内側へと放出するためのガス放出部を設置した換気装置。
【請求項７】
ガス放出部から放出されるガスが二酸化炭素を含むことを特徴とする請求項６の換気装置。
【請求項８】
ガス放出部から放出されるガスに乳酸、オクテノール、アンモニア、のいずれか１つまたは複数のガスを含むことを特徴とする請求項７の換気装置。
【請求項９】
前記パネルの羽板を黒色とした請求項６の換気装置。
【発明の詳細な説明】
【技術分野】
【０００１】
本発明は、室内空気を室外へ排出する換気装置において、室内の飛翔昆虫を室外へと排出するための換気装置に関するものである。
【背景技術】
【０００２】
従来、この種の飛翔昆虫を室外へと排出する換気装置としては、吸込口付近に飛翔昆虫を誘引するための誘引部と、排気流を発生させるファンを備えたものが知られている。すなわち、図４に示すように、吸込口１０１付近に誘引部１０２として光源を備え、誘引部１０２に近付いた飛翔昆虫を、風路内のモーター１０３およびファン１０４を用いて発生させた気流で風路内に吸込み、室外へと排出する換気装置であった（例えば特許文献１参照）。
【０００３】
また、誘引ガスをファン前方で発生させて飛翔昆虫を誘引し、ファンで発生させた気流で誘引した飛翔昆虫を吸引し捕集する捕虫器も開発されている（例えば特許文献２参照）。
【先行技術文献】
【特許文献】
【０００４】
【特許文献１】特開平１０−２２７５０３号公報
【特許文献２】特開２０１５−６２４０１号公報
【発明の概要】
【発明が解決しようとする課題】
【０００５】
このような従来の飛翔昆虫を室外へと排出する換気装置は、光を用いて飛翔昆虫を誘引しているが、デング熱等を媒介するヒトスジシマカやネッタイシマカといった蚊に対して、光による誘引効果は低いとされており、危険性の高い蚊への効果が不十分であるという課題を有していた。
【０００６】
また、蚊に対する効果が高いとされる二酸化炭素を発生させる捕虫器は、発生させた二酸化炭素を自身の後段に設置されたファンによって拡散してしまい、誘引ガスが吸込口付近に留まらないため、飛翔昆虫を十分に誘引できないという課題を有していた。
【０００７】
本発明は、このような従来の課題を解決するものであり、吸込口付近に誘引ガスを発生させ、室内の飛翔昆虫を室外へと効率よく排出できる換気装置を提供することを目的としている。
【課題を解決するための手段】
【０００８】
この目的を達成するために、本発明に係る換気装置は、筐体の前面において４つの辺によって区画され室内空気を排出する吸込口と、吸込んだ空気を排出する排気口と、前記吸込口と前記排気口とを連通する風路と、前記風路内に設けた室内側から室外側へ向かう気流を発生させるモーターおよびファンと、前記吸込口の開口面積よりも面積を大きくして形成したパネルであって、該吸込口との間に隙間をとって配置した吸込口カバーと、蚊を誘引するガス状物質を発生させるガス状物質発生部とを備え、前記ガス状物質発生部が、前記吸込口の一辺の外側において前記隙間を覆うように設けられ、ガス状物質を室内側へ放出することを特徴とする換気装置であり、これにより所期の目標を達成するものである。
【０００９】
また、本発明に係る換気装置は、室内側に設けられる吸込口と、室外側に設けられる吐出口と、前記吸込口と前記吐出口とを連通する風路と、前記風路内に設けて室内側から室外側へ向かう気流を発生させるファンおよびモーターとを備えた筐体と、前記筐体の前記吸込口を覆うルーバーとを備え、前記ルーバーの羽板は上流側から下流側へ向かって斜め下方向に傾斜をつけて配置され、前記筐体の下部に蚊を誘引する気体を室内側へと放出するためのガス放出部を設置した換気装置であり、これにより所期の目的を達成するものである。
【発明の効果】
【００１０】
本発明では、筐体の前面において４つの辺によって区画され室内空気を排出する吸込口と、吸込んだ空気を排出する排気口と、前記吸込口と前記排気口とを連通する風路と、前記風路内に設けた室内側から室外側へ向かう気流を発生させるモーターおよびファンと、前記吸込口の開口面積よりも面積を大きくして形成したパネルであって、該吸込口との間に隙間をとって配置した吸込口カバーと、蚊を誘引するガス状物質を発生させるガス状物質発生部とを備え、前記ガス状物質発生部が、前記吸込口の一辺の外側において前記隙間を覆うように設けられた構成とした。
【００１１】
本発明の構成によると、筐体の前面において４つの辺によって区画された吸込口のうち１つの区画は、ガス状物質発生部によって覆われるため、室内空気は該区画から排出されず、他の区画から排出されることとなる。したがって、ガス状物質発生部から発生させたガス状物質を、すぐに室外へ排出することなく、積極的に室内方向へ拡散させることができる。
【００１２】
これにより、蚊を換気装置付近まで誘引することができ、室内の飛翔昆虫を効率的に換気装置から排出することができる。
【００１３】
また、室内側に設けられる吸込口と、室外側に設けられる吐出口と、前記吸込口と前記吐出口とを連通する風路と、前記風路内に設けて室内側から室外側へ向かう気流を発生させるファンおよびモーターとを備えた筐体と、前記筐体の前記吸込口を覆うルーバーとを備え、前記ルーバーの羽板は上流側から下流側へ向かって斜め下方向に傾斜をつけて配置され、前記筐体の下部に蚊を誘引する気体を室内側へと放出するためのガス放出部を設置した。
【００１４】
これにより、パネルを斜め上方向に向かって開口し、本体下部から蚊の誘引ガスを発生させることで、換気装置下部に空気の滞留部を作りやすくし、該滞留部に蚊の誘引ガスを溜めて、誘引ガスを室内側へと拡散させることができる。すなわち換気を行いながら、換気装置から室内側へ向けて誘引ガスの濃度勾配を形成し、蚊を誘引し続けることができ、室内の飛翔昆虫を効率的に換気装置から排出することができる。
【図面の簡単な説明】
【００１５】
【図１】本発明の実施の形態１の換気装置を示す側面断面図
【図２】本発明の実施の形態２の換気装置を示す側面断面図
【図３】同換気装置を住宅に設置した際の概略図
【図４】同実施の形態３の換気装置を示す側面断面図
【図５】同換気装置を住宅に設置した際の概略図
【図６】従来の換気装置を示す側面断面図
【発明を実施するための形態】
【００１６】
本発明の請求項１に係る換気装置は、筐体の前面において４つの辺によって区画され室内空気を排出する吸込口と、吸込んだ空気を排出する排気口と、前記吸込口と前記排気口とを連通する風路と、前記風路内に設けた室内側から室外側へ向かう気流を発生させるモーターおよびファンと、前記吸込口の開口面積よりも面積を大きくして形成したパネルであって、該吸込口との間に隙間をとって配置した吸込口カバーと、蚊を誘引するガス状物質を発生させるガス状物質発生部とを備え、前記ガス状物質発生部が、前記吸込口の一辺の外側において前記隙間を覆うように設けられ、ガス状物質を室内側へ放出することを特徴とする換気装置である。
【００１７】
これにより、筐体の前面において４つの辺のそれぞれが吸込口カバーとの間に形成する隙間のうち１つの隙間は、ガス状物質発生部によって覆われるため、室内空気は該隙間から排出されず、他の隙間から排出されることとなる。したがって、換気を行いながら、ガス状物質発生部から発生させたガス状物質はすぐに室外へ排出することなく、換気装置から室内側へ向けて誘引ガスの濃度勾配を形成しながら拡散させることができるので、蚊を換気装置付近まで誘引することができ、室内の飛翔昆虫を効率的に換気装置から排出することができる。
【００１８】
また、請求項２に係る換気装置は、ガス状物質発生部で発生させるガス状物質が、少なくとも二酸化炭素を含むことを特徴とするものである。
【００１９】
蚊は長距離からわずかな二酸化炭素濃度勾配でも検出できるため、微量の二酸化炭素でも室内全体に亘って誘引効果を発揮することができる。
【００２０】
これにより、従来の光源を用いた捕虫装置では十分に誘引することのできなかった、アカイエカやヒトスジシマカのような人を吸血のターゲットとする蚊を換気装置付近に誘引し、室外へ排出することができる。
【００２１】
また、請求項３に係る換気装置は、ガス状物質発生部を、吸込口の下辺に設けたことを特徴とするものである。
【００２２】
これにより、空気よりも分子量が大きい二酸化炭素を含むガス状物質は、下方に向かって拡散しやすいので、発生させたガス状物質を効率よく室内に拡散させることができ、蚊を換気装置付近まで誘引することができる。
【００２３】
また、請求項４に係る換気装置は、換気装置運転時にファンの回転と停止を交互に行い、ファン停止時にガス状物質発生部からガス状物質を放出し、ファン回転時には前記ガス状物質を放出しないことを特徴とするものである。
【００２４】
これにより、発生させたガス状物質の濃度が、一時的に換気装置の吸込口付近で高濃度となる状態を維持することができる。高濃度となったガス状物質に飛翔昆虫が誘引されることにより、吸込口付近に飛翔昆虫が集まり、換気装置から排出することができる。
【００２５】
中でも、ヒトスジシマカやネッタイシマカ、アカイエカといった、ヒトを吸血のターゲットにする蚊に対しては、二酸化炭素を間欠発生させることにより連続発生時と比較して誘引作用が増大することが知られており、感染症の媒介などの点において危険性の高い飛翔昆虫に対して特に高い誘引効果を発揮する。
【００２６】
また、請求項５に係る換気装置は、ガス状物質発生部と接しない吸込口カバーの外周部分の一部または全部に、熱源を備えたことを特徴とするものである。
【００２７】
蚊は熱の発生源を感知し、適温の場所に止まろうとする性質がある。ガス状物質発生部と接しない吸込口カバーの外周部分の一部または全部に、熱源を備えることにより、換気装置に近づいた蚊が吸込口から風路内に誘導され、効率的に換気装置から排出することができる。
【００２８】
また、請求項６に係る換気装置は、室内側に設けられる吸込口と、室外側に設けられる吐出口と、前記吸込口と前記吐出口とを連通する風路と、前記風路内に設けて室内側から室外側へ向かう気流を発生させるファンおよびモーターとを備えた筐体と、前記筐体の前記吸込口を覆うパネルとを備え、前記パネルの開口部には羽板を上流側から下流側へ向かって斜め下方向に傾斜をつけて配置し、前記筐体の下部に蚊を誘引する気体を室内側へと放出するためのガス放出部を設置したものである。
【００２９】
これにより、パネルを斜め上方向に向かって開口し、本体下部から蚊の誘引ガスを発生させることで、換気装置下部に空気の滞留部を作りやすくし、該滞留部に蚊の誘引ガスを溜めて、誘引ガスを室内側へと拡散させることができる。すなわち換気を行いながら、換気装置から室内側へ向けて誘引ガスの濃度勾配を形成し、蚊を誘引し続けることができる。
【００３０】
また、請求項７に係る換気装置は、ガス放出部から放出されるガスが二酸化炭素を含むことを特徴とするものである。
【００３１】
これにより、二酸化炭素は蚊を誘引する気体の中でも比較的軽く、室内側へと拡散しやすい性質をもつため、広く室内全体に亘って蚊に対する誘引効果を発揮することができる。また、二酸化炭素は空気よりも重い気体であり、換気装置本体の下部から発生させると、換気装置の吸込口とは逆の下方向に向かって拡散するため、換気装置によって排気されにくく、室内側に蚊の誘引効果を発揮することができる。さらに、二酸化炭素はヤブカに限らず、イエカも含めた幅広い種の吸血性の蚊を誘引することが知られており、室内で蚊に吸血されるリスクを減らすことができる。
【００３２】
また、請求項８に係る換気装置は、ガス放出部から放出されるガスに乳酸、オクテノール、アンモニア、のいずれか１つまたは複数のガスを含むものである。
【００３３】
これにより、乳酸、オクテノール、アンモニアのガスは生物の呼気や汗に含まれる匂い成分と共通しており、二酸化炭素と併せて存在することで、蚊に対する誘引効果を高める作用があるため、換気装置付近により多くの蚊を誘引し、室外へ排出することができる。
【００３４】
また、請求項９に係る換気装置は、前記パネルの羽板を黒色としたものである。
【００３５】
これにより、吸血性の蚊は黒い物質に誘引される上に、誘引ガス存在下において、黒い物体に対する吸血行動の頻度が上昇するという性質があるため、換気装置まで誘引した蚊をパネルの開口部まで誘導し排出することが可能になる。
【００３６】
以下、本発明の実施の形態について図面を参照しながら説明する。
【００３７】
（実施の形態１）
図１は、本実施の形態における換気装置１を示す側面断面図である。換気装置１は、部屋の壁面を貫通して取り付けられている。
【００３８】
図１に示すように、換気装置１は、室内空気を排出する吸込口３と、吸込んだ空気を排出する排気口４とを備えた筐体２を有している。
【００３９】
筐体２の内部には、吸込口３と排気口４とを連通する風路５と、風路５内に設けた室内側から室外側へ向かう気流を発生させるモーター６およびファン７とを備えている。
【００４０】
筐体２の前面には、吸込口３の開口面積よりも面積を大きくして形成したパネル状の吸込口カバー８と、蚊を誘引するガス状物質を発生させるガス状物質発生部９と、熱源１０とを備えている。
【００４１】
吸込口カバー８は、吸込口３との間に隙間１１をとって配置されている。吸込口３は、筐体２の前面において４つの辺によって区画されている。すなわち、換気装置１を正面から見た場合に、吸込口３は、上辺、下辺、左辺、右辺の４つを有している。すなわち、吸込口カバー８は、筐体２の前面において、４つの方向に向けた隙間１１を形成している。
【００４２】
ガス状物質発生部９は、吸込口３の下辺の外側において隙間１１を覆うように設けられており、ガス状物質はガス状物質発生部９から室内側へ放出される。また、熱源１０は、吸込口カバー８の外周の上部に設置されている。ガス状物質発生部９と、熱源１０とは、接していない。
【００４３】
上記構成において、換気装置１を運転すると、モーター６およびファン７の動作により、室内側から室外側へ向かう気流が発生し、室内空気が換気される。また、ガス状物質発生部９から、蚊を誘引する効果を有するガス状物質が、室内側へ放出される。ガス状物質が室内側に拡散することで、濃度勾配を検知した室内の蚊が、換気装置１の付近に誘引される。換気装置１の付近に近づいた蚊は、熱源１０の熱を検知することで、さらに隙間１１の付近まで誘引される。隙間１１の付近まで近づいた蚊は、室内側から室外側へ向かう気流に吸い込まれることで、吸込口３から風路５の内部を経て、排気口４から室外へ排出される。
【００４４】
本実施の形態では、筐体２の前面において、４つの辺のそれぞれが吸込口カバー８との間に形成する隙間１１のうち下辺が形成する隙間１１は、ガス状物質発生部９によって覆われている。そのため、室内空気は該隙間１１からは排出されず、他の隙間１１から排出されることとなる。したがって、ガス状物質発生部９から発生させたガス状物質を、すぐに室外へ排出することなく、積極的に室内方向へ拡散させることができる。
【００４５】
これにより、蚊を換気装置１付近まで誘引することができ、室内の飛翔昆虫を効率的に換気装置１から排出することができる。
【００４６】
また本実施の形態では、ガス状物質発生部９で発生させるガス状物質を、二酸化炭素濃度が４．５％の空気とした。
【００４７】
蚊は長距離からわずかな二酸化炭素濃度勾配でも検出できるため、微量の二酸化炭素でも室内全体に亘って誘引効果を発揮することができる。また、二酸化炭素濃度４．５％は、人の呼気と同水準であるため、蚊を誘引する効果をより高めることができる。
【００４８】
これにより、従来の光源を用いた捕虫装置では十分に誘引することのできなかった、アカイエカやヒトスジシマカのような人を吸血のターゲットとする蚊を換気装置１付近に誘引し、室外へ排出することができる。
【００４９】
また本実施の形態では、ガス状物質発生部９を、吸込口３の下辺に設けている。
【００５０】
蚊を誘引するのに効果的な二酸化炭素を含むガス状物質は、空気よりも分子量が大きいため、室内側に放出した際に、下方に向かって拡散しやすい。ガス状物質発生部９を吸込口３の下辺に設けることにより、発生させたガス状物質を効率よく室内に拡散させることができ、蚊を換気装置１付近まで誘引することができる。
【００５１】
また本実施の形態では、換気装置１の運転時にファン７の回転と停止を交互に行い、ファン７の停止時にガス状物質発生部９からガス状物質を放出し、ファン７の回転時には前記ガス状物質を放出しない運転を行うことも可能である。
【００５２】
これにより、発生させたガス状物質の濃度が、一時的に換気装置１の吸込口３の付近で高濃度となる状態を維持することができる。高濃度となったガス状物質に飛翔昆虫が誘引されることにより、吸込口３の付近に飛翔昆虫が集まり、換気装置１から排出することができる。
【００５３】
中でも、ヒトスジシマカやネッタイシマカ、アカイエカといった、ヒトを吸血のターゲットにする蚊に対しては、二酸化炭素を間欠発生させることにより連続発生時と比較して誘引作用が増大することが期待できるため、感染症の媒介などの点において危険性の高い飛翔昆虫に対して特に高い誘引効果を発揮する。
【００５４】
前記運転方法によりガス状物質を間欠的に発生させる手段としては、例えば電磁弁とタイマー（図示せず）を備え、電磁弁とファンの電源を同一のものとし、タイマー制御により電磁弁の開放とファンの停止、電磁弁の閉鎖とファンの運転を交互に繰り返す構成とすることにより、実施することができる。
【００５５】
また本実施の形態では、ガス状物質発生部９と接していない、吸込口カバー８の外周の上部に、熱源１０を備えている。
【００５６】
蚊は熱の発生源を感知し、適温の場所に止まろうとする性質がある。そのため、ガス状物質の誘引効果によって換気装置１に近づいた蚊は熱源１０を感知し、止まろうとして吸込口３に近づきやすくなる。これにより、換気装置１に近づいた蚊が吸込口３から風路５内に誘導され、効率的に換気装置１から排出することができる。
【００５７】
蚊を止まらせる適切な温度として、熱源１０の表面温度は３０〜４０度が好ましく、３４〜３６度がより好ましい。
【００５８】
また本実施の形態では、ガス状物質発生部９を、二酸化炭素濃度が４．５％の空気を充填した小型ボンベとした。これにより、ガス状物質を効率よく発生させるだけでなく、ガス状物質が無くなったときに、簡単に交換、取り付けが可能となる。
【００５９】
なお本実施の形態では、発生させるガス状物質を二酸化炭素濃度が４．５％の空気としたが、これに限定されるものではなく、蚊を誘引する効果を発揮するガス状物質であればよい。例えば、乳酸、アンモニア、オクテノール等の、蚊を誘引するのに一定の効果があるとされている成分を加えてもよい。
【００６０】
なお本実施の形態では、ガス状物質発生部９を小型ボンベとしたが、これに限定されるものではなく、ガス状物質を発生させる構成であればよい。ガス状物質として二酸化炭素を含む場合、例えばＵＶランプ、光触媒、分解用の有機物を備え、ＵＶ光を光触媒に照射することにより、前記有機物を分解し、二酸化炭素を発生させる構成としてもよい。
【００６１】
なお本実施の形態では、熱源１０を吸込口カバー８の外周の上部に備えたが、ガス状物質発生部９と接していない、吸込口カバー８の外周の他の部分に備えてもよい。吸込口３のうち、ガス状物質発生部９で覆われていない箇所から排気されるため、熱源１０を多く備えることで、より多くの蚊を吸込口３付近に誘導し、効率よく蚊を室外へ排出することができる。
【００６２】
なお、熱源１０は吸込口カバー８だけでなく、ガス状物質発生部９で閉塞していない吸込口３と近接している、筐体２の前面部分に備えてもよい。これにより、蚊を吸込口３付近に誘導する効果を高めることができる。
【００６３】
（実施の形態２）
図２は、本実施の形態における換気装置１を示す側面断面図、図３は同換気装置１を住宅に設置した際の概略図である。図２および図３において、実施の形態１と同一の部分は同一符号を付し、その詳細な説明は省略する。
【００６４】
図２に示すように、換気装置１は、ガス状物質発生部９を備えており、前記ガス状物質発生部９に対してガス状物質を供給する手段として、配管１２と電磁弁１３を備える。図３に示すように、配管１２はガスボンベ１４と接続されている。
【００６５】
上記のような構成とすることにより、ガス状物質を長期間に亘って換気装置１に供給することができ、ユーザーのメンテナンス性を向上させることができる。
【００６６】
（実施の形態３）
図４および図５は本実施の形態３における換気扇の図である。図４は、換気扇を示す側面断面図、図５は換気扇を住宅に設置した際の概略図を示す。
【００６７】
本実施の形態の換気扇２１は、図４に示すように部屋の壁面を貫通して取り付けられている。
【００６８】
換気装置２１は、筐体２２と、吸込口２３と、吐出口２４と、吸込口２３から吐出口２４へ連通する風路２５と、逆回転可能なモーター２６とモーター２６の軸に取り付けられたファン２７と、パネル２８とガス放出部９から構成されている。
【００６９】
吸込口２３は部屋の室内側に、吐出口２４は室外側に配置されている。
【００７０】
筐体２２の前面において、吸込口２３を配置しており、吸込口２３の前面を覆うようにしてパネル２８が設置されている。
【００７１】
モーター２６とモーター２６の軸に取り付けられたファン２７は、通常運転時に室内側から室外側へと向かう空気流を形成するものである。
【００７２】
パネル２８は、パネル外枠３０とパネル２８の開口部を覆う羽板３１から構成されており、パネル外枠３０が羽板３１の外周部に固定されている。羽板３１は換気気流の上流側から下流側に向かって斜め下方向の気流を形成するように配置されている。この羽板３１は黒色であることが望ましい。蚊のような昆虫は暗色の物体を目標として飛行するため、羽板３１を黒色にしておくことで室内の蚊を換気装置２１の吸込口２３まで誘い込むことができる。
【００７３】
ガス放出部２９は、蚊を誘引するためのガスを放出ものであり、誘引ガスの供給手段と、誘引ガスを放出するための１つまたは複数の開口部を有する。誘引ガスの供給手段として、ガスボンベ３２とガスボンベに接続された配管３３と電磁弁３４を備えている。
ガス発生部２９の設置位置は換気装置２１の下部の室内側であれば特に限定されない。電磁弁３４とファン２７は電源を同一のものとしており、換気装置２１の運転中に電磁弁３４が開き誘引ガスを放出することができる。
【００７４】
発生させる誘引ガスとして二酸化炭素を含むことが好ましく、二酸化炭素に加えてアンモニア、オクテノール、乳酸を含むことがより好ましい。二酸化炭素は蚊の種類に拠らず、吸血性の蚊であれば幅広く誘引することができる。また、アンモニア、オクテノール、乳酸のような誘引物質は、単独でも蚊を誘引する作用を持つが、二酸化炭素と組み合わせて使用することで蚊に対する誘引効果が著しく向上するため、より多くの室内の蚊を換気装置に集めることができる。
【００７５】
室内の蚊を誘引するための二酸化炭素の発生速度として好ましい範囲は５０ｍＬ／ｍｉｎ〜５００ｍＬ／ｍｉｎであり、さらに好ましい範囲は１００ｍＬ／ｍｉｎ〜３００ｍＬ／ｍｉｎである。例えば３０ｍ３の室内で１００ｍＬ／ｍｉｎの速度で二酸化炭素を発生させ３００ｍ３/ｈの風量で排気を行った場合、室内の二酸化炭素濃度上昇を１５ｐｐｍ程度に抑えながら、換気装置１近傍の二酸化炭素濃度を局所的に上昇させることができ、換気装置１付近への蚊の誘引量を増やすことが可能である。
【００７６】
アンモニア、オクテノール、乳酸などの誘引物質はにおいをもつ物質であり、微量でも効果を発揮するため、放出量は二酸化炭素よりも少量であることが望ましい。
【００７７】
上記構成において、換気装置２１を動作させると、換気装置２１を運転すると、モーター２６およびファン２７の動作により、室内側から室外側へ向かう気流が発生し、室内空気が換気される。パネル２８を斜め上方向に向かって開口し、換気装置２１の下部から蚊の誘引ガスを発生させることとなる。蚊の誘引ガスは室内側へ放出され、換気装置２１の下部が空気の滞留部となり、該滞留部に蚊の誘引ガスを溜めて、蚊の誘引ガスを室内側へ濃度勾配を作りながら拡散させることができる。濃度勾配を検知した室内の蚊は、換気装置２１の付近に誘引される。誘引された蚊は、吸血ターゲットを探すために換気装置近辺を飛行するが、ルーバーの開口部に接近した蚊は換気装置の発生させる排気流と共に換気装置内に吸引され、屋外へと排出される。
【００７８】
すなわち換気を行いながら、換気装置から室内側へ向けて誘引ガスの濃度勾配を形成し、蚊を誘引し続けることができる。
【産業上の利用可能性】
【００７９】
室内空気を室外へ排出するとともに、室内の飛翔昆虫を室外へと排出する換気装置として有用である。
【符号の説明】
【００８０】
１    換気装置
２    筐体
３    吸込口
４    排気口
５    風路
６    モーター
７    ファン
８    吸込口カバー
９    ガス状物質発生部
１０    熱源
１１    隙間
１２    配管
１３    電磁弁
１４    ガスボンベ
２１    換気装置
２２    筐体
２３    吸込口
２４    吐出口
２５    風路
２６    モーター
２７    ファン
２８    パネル
２９    ガス発生部
３０    パネル外枠
３１    羽板
３２    ガスボンベ
３３    配管
３４    電磁弁
１０１    吸込口
１０２    誘引部
１０３    モーター
１０４    ファン
【図１】
2019129815.tif 000003
【図２】
2019129815.tif 000004
【図３】
2019129815.tif 000005
【図４】
2019129815.tif 000006
【図５】
2019129815.tif 000007
【図６】
2019129815.tif 000008